(57)【要約】【課題】事前の検査データを登録しておかなくても過去及び複数日の検査データを登録すること。【解決手段】受診データ登録システム２のコンピュータが、臨床検査システム１から受診した電文ファイル１１に含まれる登録番号を基に受診者情報ＤＢ３１から受診者の登録番号及び所属の団体情報を含む個人情報を取得し、この取得した個人情報を基に検査結果ＤＢ３５から当該受診者の登録済みの検査データを取得し、これら取得した検査データと年齢情報と団体情報を用いてコース対応項目情報ＤＢ３２から検査コースを決定し、コース検査管理ＤＢ３３を参照して検査データの登録方法を決定し、前記取得した検査データと年齢情報と団体情報と検査コースを前記決定した登録方法により検査結果ＤＢ３５に登録する受診データ管理システム。【選択図】図１
2009064328.tif 000002
【特許請求の範囲】
【請求項１】
受診者の登録番号及び該登録番号に対応した診断に関する検査データを格納する電文ファイルが入力される臨床検査システムと、受診者の年齢情報及び所属団体情報を含む個人情報を格納する受診者情報データベースと、受診者の検査データを格納する検査結果データベースと、検査コース毎の検査項目を格納するコース対応項目情報データベースと、複数の検査コース間の対応関係に関する情報を格納するコース検査管理データベースと、前記入力される電文ファイルに含まれる個人情報を基に該個人情報に対応した検査データを検査結果データベースに格納する受診データ登録システムとを備える受診データ管理システムであって、
前記受診データ登録システムのコンピュータが、
前記臨床検査システムから電文ファイルを受信し、該電文ファイルに含まれる登録番号を基に前記受診者情報データベースから個人情報を取得する第１工程と、
該第１工程により取得した個人情報を基に前記検査結果データベースから検査データを取得する第２工程と、
前記第１及び第２工程により取得した検査データと年齢情報と団体情報を用い、コース対応項目情報データベースから検査コースを決定する第３工程と、
前記コース検査管理データベースを参照して前記第３工程にて決定した検査コースの検査データの登録方法を決定する第４工程と、
前記各工程にて取得した検査データと年齢情報と団体情報と検査コースを前記決定した登録方法により検査結果データベースに登録する第５工程と、
を実行する受診データ管理システム。
【請求項２】
前記コンピュータが、前記第３工程において、前記取得した検査データに含まれる検査項目の数に応じて適合ポイントを算出し、この適合ポイントを検査コース毎に設定された検査項目数により除算することによって各検査コースの適合率を算出し、該適合率が最も高い検査コースを決定する請求項１記載の受診データ管理システム。
【請求項３】
前記コンピュータが、前記第５工程において、前記決定した登録方法により検査データを登録する際、既に登録されている同一登録番号の検査データと連結して検査結果データベースに登録する請求項１又は２記載の受診データ管理システム。
【請求項４】
受診者の登録番号及び該登録番号に対応した診断に関する検査データを格納する電文ファイルを入力とする臨床検査システムと、受診者の年齢情報及び所属団体情報を含む個人情報を格納する受診者情報データベースと、受診者の検査データを格納する検査結果データベースと、検査コース毎の検査項目を格納するコース対応項目情報データベースと、複数の検査コース間の対応関係に関する情報を格納するコース検査管理データベースと、前記入力される電文ファイルに含まれる個人情報を基に該個人情報に対応した検査データを検査結果データベースに格納する受診データ登録システムとを備える受診データ管理システムにおける受診データ管理プログラムであって、
前記受診データ登録システムのコンピュータに、
前記臨床検査システムから電文ファイルを受信し、該電文ファイルに含まれる登録番号を基に前記受診者情報データベースから個人情報を取得する第１機能と、
該第１工程により取得した個人情報を基に前記検査結果データベースから検査データを取得する第２機能と、
前記第１及び第２機能により取得した検査データと年齢情報と団体情報を用い、コース対応項目情報データベースから検査コースを決定する第３機能と、
前記コース検査管理データベースを参照して前記第３機能にて決定した検査コースの検査データの登録方法を決定する第４機能と、
前記各機能にて取得した検査データと年齢情報と団体情報と検査コースを前記決定した登録方法により検査結果データベースに登録する第５機能と、
を実行させる受診データ管理プログラム。
【請求項５】
前記コンピュータが、前記第３工程において、前記取得した検査データに含まれる検査項目の数に応じて適合ポイントを算出し、この適合ポイントを検査コース毎に設定された検査項目数により除算することによって各検査コースの適合率を算出し、該適合率が最も高い検査コースを決定する機能を実行させる請求項４記載の受診データ管理プログラム。
【請求項６】
前記コンピュータが、前記第５機能において、前記決定した登録方法により検査データを登録する際、既に登録されている同一登録番号の検査データと連結して検査結果データベースに登録する機能を含む請求項４又は５記載の受診データ管理プログラム。
【発明の詳細な説明】
【技術分野】
【０００１】
本発明は、事前予約なしに検査データを登録することができる受診データ管理システム及び受診データ管理プログラムに係り、特に複数日にまたがる疾患検査を一連の検査結果として参照することができる受診データ管理システム及び受診データ管理プログラムに関する。
【背景技術】
【０００２】
一般に医療機関における健康診断は、予め受診者氏名、健診内容、健診日を予約した際、当該受診者の過去の健診データとの比較を行うために過去のデータを予め医療用受診データ登録システムに登録しておく必要があった。また、同様に複数日にまたがる疾患の検査においても、複数日にまたがる一連の検査データを医療用受診データ登録システムに登録しておく必要があった。
【０００３】
尚、従来技術による健康診断データを取り扱う技術が記載された文献としては、例えば下記特許文献が挙げられる。
【特許文献１】特開２００７−４７９７９号公報
【発明の開示】
【発明が解決しようとする課題】
【０００４】
一般に受診データ管理システムは、受診予定者の過去の検査データを予め登録しておかなければ医師が過去の検査履歴との比較を行うことができないものであるが、実際の検査業務においては緊急による事前予約がない診断が発生することが多々あり、この場合は、同一受診者の過去の検査データが不明であり、医師の診断に要する必要な検査データを提供することができないと言う不具合があった。また、複数日にまたがる疾患の検査においても、複数日にまたがる一連の検査データを予め医療用受診データ登録システムに登録しておかなければならず、医師の診断に要する総合的な検査データを提供することができないと言う不具合があった。
【０００５】
本発明の目的は、前述の従来技術による不具合を解消することであり、事前の検査データを登録しておかなくても過去の検査データや複数日にまたがる一連の検査データを登録して医師に提供することができる受診データ管理システム及び受診データ管理プログラムを提供することである。
【課題を解決するための手段】
【０００６】
前記目的を達成するために本発明は、受診者の登録番号及び該登録番号に対応した診断に関する検査データを格納する電文ファイルを入力とする臨床検査システムと、受診者の年齢情報及び所属団体情報を含む個人情報を格納する受診者情報データベースと、受診者の検査データを格納する検査結果データベースと、検査コース毎の検査項目を格納するコース対応項目情報データベースと、複数の検査コース間の対応関係に関する情報を格納するコース検査管理データベースと、前記入力される電文ファイルに含まれる個人情報を基に該個人情報に対応した検査データを検査結果データベースに格納する受診データ登録システムとを備える受診データ管理システムであって、前記受診データ登録システムのコンピュータが、前記臨床検査システムから電文ファイルを受信し、該電文ファイルに含まれる登録番号を基に前記受診者情報データベースから個人情報を取得する第１工程と、該第１工程により取得した個人情報を基に前記検査結果データベースから検査データを取得する第２工程と、前記第１及び第２工程により取得した検査データと年齢情報と団体情報を用い、コース対応項目情報データベースから検査コースを決定する第３工程と、前記コース検査管理データベースを参照して前記第３工程にて決定した検査コースの検査データの登録方法を決定する第４工程と、前記各工程にて取得した検査データと年齢情報と団体情報と検査コースを前記決定した登録方法により検査結果データベースに登録する第５工程とを実行することを第１の特徴とする。
【０００７】
また本発明は、前記第１の特徴の受診データ管理システムにおいて、前記コンピュータが、前記第３工程において、前記取得した検査データに含まれる検査項目の数に応じて適合ポイントを算出し、この適合ポイントを検査コース毎に設定された検査項目数により除算することによって各検査コースに対応する適合率を算出し、該適合率が最も高い検査コースを決定することを第２の特徴とし、前記何れかの受診データ管理システムにおいて、前記コンピュータが、前記第５工程において、前記決定した登録方法により検査データを登録する際、既に登録されている同一登録番号の検査データと連結して検査結果データベースに登録することを第３の特徴とする。
【０００８】
また本発明は、受診者の登録番号及び該登録番号に対応した診断に関する検査データを格納する電文ファイルを入力する臨床検査システムと、受診者の年齢情報及び所属団体情報を含む個人情報を格納する受診者情報データベースと、受診者の検査データを格納する検査結果データベースと、検査コース毎の検査項目を格納するコース対応項目情報データベースと、複数の検査コース間の対応関係に関する情報を格納するコース検査管理データベースと、前記入力される電文ファイルに含まれる個人情報を基に該個人情報に対応した検査データを検査結果データベースに格納する受診データ登録システムとを備える受診データ管理システムにおける受診データ管理プログラムであって、前記受診データ登録システムのコンピュータに、前記臨床検査システムから電文ファイルを受信し、該電文ファイルに含まれる登録番号を基に前記受診者情報データベースから個人情報を取得する第１機能と、該第１工程により取得した個人情報を基に前記検査結果データベースから検査データを取得する第２機能と、前記第１及び第２機能により取得した検査データと年齢情報と団体情報を用い、コース対応項目情報データベースから検査コースを決定する第３機能と、前記コース検査管理データベースを参照して前記第３機能にて決定した検査コースの検査データの登録方法を決定する第４機能と、前記各機能にて取得した検査データと年齢情報と団体情報と検査コースを前記決定した登録方法により検査結果データベースに登録する第５機能とを実行させることを第４の特徴とする。
【０００９】
また本発明は、前記第４の特徴の受診データ管理プログラムにおいて、前記コンピュータが、前記第３機能において、前記取得した検査データに含まれる検査項目の数に応じて適合ポイントを算出し、この適合ポイントを検査コース毎に設定された検査項目数により除算することによって各検査コースに対応する適合率を算出し、該適合率が最も高い検査コースを決定する機能を含むことを第５の特徴とし、前記何れかの受診データ管理プログラムにおいて、前記コンピュータが、前記第５機能において、前記決定した登録方法により検査データを登録する際、既に登録されている同一登録番号の検査データと連結して検査結果データベースに登録する機能を含むことを第６の特徴とする。
【発明の効果】
【００１０】
本発明による受診データ登録システム及び受診データ登録方法は、臨床検査システムから受信した電文ファイルに含まれる登録番号を基に受診者の個人情報を取得し、この個人情報を基に検査データを取得し、更に前記取得した検査データと年齢情報と団体情報を用いて検査コース及び登録方法とを決定し、前記検査データと年齢情報と団体情報と検査コースを前記決定した登録方法により検査結果データベースに登録することによって、事前の検査データを登録しておかなくても過去の検査データや複数日にまたがる一連の検査データを検査結果データベースに登録することができる。
【発明を実施するための最良の形態】
【００１１】
以下、本発明による受診データ管理プログラムが適用される受診データ管理システムの一実施形態を図面を参照して詳細に説明する。図１は、本実施形態による受診データ管理システムを示す図、図２は本実施形態による電文ファイルを説明するための図、図３は本実施形態による受診者情報データベースの構成を示す図、図４は本実施形態によるコース別対応情報データベースの構成を示す図、図５は本実施形態によるコース検査管理データベースの構成を示す図、図６は本実施形態による予約情報データベースの構成を示す図、図７は本実施形態による検査結果データベースの構成を示す図、図８は本実施形態による検索結果判定エンジン部の動作フロー図、図９は本実施形態による受診者情報管理部の動作フロー図、図１０は本実施形態によるコース項目対応管理部の動作フロー図、図１１は本実施形態によるコース検査日登録管理部の動作フロー図、図１２Ａ及び図１２Ｂは本実施形態による予約管理部の動作フロー図、図１３Ａ及び図１３Ｂは本実施形態による適合率算出処理の動作フロー図である。
【００１２】
［構成の説明］
本実施形態による受診データ管理システムは、図１に示す如く、後述する健康診断に関する検査データ他を格納する電文ファイル１１を入力とする端末１０を含む臨床検査システム１と、該臨床検査システム１と接続され、前記電文ファイル１１に含まれる検査データ他を後述するデータベースサーバ３に登録する医療用受診データ登録システム２と、受診者情報や検査データその他データを格納する複数のデータベース（ＤＢ）を含むデータベースサーバ３とから構成される。尚、本明細書で述べる前記各システムは、中央処理演算機能を含むコンピュータであり、このシステムが実行する後述の各機能はコンピュータプログラムである。
【００１３】
前記電文ファイル１１の構成は、図２（ａ）に示す如く、検査属性情報及び検査結果情報とに大別され、前記検査属性情報は、「検査日」「登録番号」「性別」「生年月日」「年」とに細分され、前記検査結果情報は、複数の「検査項目コード」「検査名称」「結果」に細分され、具体的には図２（ｂ）に示す如く、検査属性情報の「検査日」が「２００７／０１／２０」、「登録番号」が「９００９１１０１０」、「性別」が「Ｍ」（男）、「生年月日」が「１９６７／０１／２０」、「年」が「４０」才、検査結果情報の「検査項目コード」が「３Ｆ０１５０００００２３２７７１０１」、「検査名称」が「中性脂肪」、「結果」が「１００」の如く構成され、実際のデータ形式は図２（ｃ）に示す如く、データをカンマで区切るＣＳＶ形式にて構成されている。
【００１４】
前記データベースサーバ３は、図１に示す如く、検査を受診する受診者の登録番号や氏名等の個人情報を格納する受診者情報データベース３１と、人間ドック等の検査コース毎の検査項目等を格納するコース対応項目情報データベース３２と、検査コースと他の検査コースとの対応に関する情報等を格納するコース検査管理データベース３３と、健康診断の受診日や検査コース等の予約情報を格納する予約情報データベース３４と、健康診断の検査コース及び検査項目毎の検査結果を格納する検査結果データベース３５とから構成される。
【００１５】
前記受診者情報データベース３１に格納されるデータは、図３に示す如く、受診者の登録番号、氏名、性別、生年月日、住所、電話番号、受診者の所属団体、それまでの大病の履歴である既往歴等の受診者の個人情報（受診者情報）とから構成される。
【００１６】
前記コース対応項目情報データベース３２に格納されるデータは、検査コースに応じた詳細な検査項目の対応に関する情報等を格納するものであって、図４に示す如く、「優先順位」「コース名称」「適用団体」「適用年齢（情報）」「検査項目」とから成り、前記「検査項目」は「赤血球」「白血球」「総コレステロール」その他の多数の詳細な検査項目から構成され、例えば、優先順位「１」のＡ社の３５才以下のドックＡには「空腹時血糖」以外の全検査項目が設定され、優先順位「５」の「糖尿管理」には「糖負荷前」「糖負荷６０分」等の糖尿病の管理に必要な６項目だけが設定されている。
【００１７】
前記コース検査管理データベース３３は、検査コース毎の予約並びに検査結果の登録方式に関する情報を格納するものであって、図５に示す如く、複数の検査日にまたがる検査結果を連結して登録するか否か（異なる日に実施した複数の検査結果を１回の検査として設定するか否か）を、「連結」「個別」並びに「有効日数」として格納するものである。尚、前記「連結」は、同一受診日情報を有する予約情報や検査結果情報を１回の受診とみなし、検査結果として連結（統合）して検査結果データベース３５に格納乃至医師に表示させるためのものであり、「個別」は、同一受診日情報を有する予約情報や検査結果情報を、関連をもつ個別且つ複数の受診とみなし、検査結果を関連づけて個別に検査結果データベース３５に格納乃至医師に表示させるためのものである。
【００１８】
また前記予約情報データベース３４は、前記コース検査管理データベース３３の「連結」及び「個別」の検査項目間の連結方法による検査予約の情報を格納したものであって、図６に示す如く、例えば、コース「ドックＡ」が、コース検査管理データベース３３により連結方法が「連結」と設定されているため、２００７／０１／１５に実施した検査結果と２００７／０１／２０に検査した検査結果が１回の検査として予約されることを示し、コース「糖尿管理」が、コース検査管理データベース３３により連結方法が「個別」と設定されているため、異なる日付に実施した検査が別個であり、４回の検査が一連の検査として予約されることを示している。
【００１９】
前記検査結果データベース３５は、受診者の登録番号毎に検査結果を格納するものであって、図７に示す如く、受診者の「登録番号」、「検査実施日」、「検査コース」、該検査コースに応じた複数の検査項目毎の検査結果（数値）を格納している。
【００２０】
更に医療用受診データ登録システム２は、図１に示す如く、前記受診者情報データベース３１と接続して前述した受診者情報を検索する受診者情報管理部２２と、前記コース対応項目情報データベース３２を参照して検査コースと検査項目との対応を管理するコース項目対応管理部２３と、前記コース検査管理データベース３３を参照して検査コースに対応した連結方法（「連結」「個別」）を管理するコース検査日登録管理部２４と、前記予約情報データベース３４を参照して複数の検査項目の予約を管理する予約管理部２５と、前記検査結果データベース３５に受診者の検査結果を格納する検査結果管理部２６とから構成される。
【００２１】
［動作説明］
さて、前述のように構成した本実施形態による受診データ管理システムは、まず、検査結果判定エンジン部２１が、図８に示す如く、電文ファイル１１を受領し、電文ファイル１１内データの１行を１レコードとカウントし、レコード数を算出するステップ８０１と、該ステップ８０１にて取得した電文ファイル１１から１レコード分の情報を取得するステップ８０２と、前記電文ファイル１１内に設定されている登録番号を取得し、受診者情報管理部２２の機能を使用して当該受診者の年齢情報／団体情報を取得するステップ８０３と、前記ステップ８０３にて取得した検査データ及びステップ８０３にて取得した年齢情報／団体情報を用い、コース項目対応管理部２３の機能を使用して検査コースを決定するステップ８０４と、該ステップ８０４にて決定した検査コースについて、コース検査日登録管理部２４の機能を用い、当該検査データの登録方法を決定するステップ８０５と、前記ステップ８０２にて取得した検査データ及びステップ８０３にて取得した個人属性情報(年齢情報／団体等)情報、ステップ８０４にて決定した検査コース、及びステップ８０５にて決定した登録方法により、予約管理部２５の機能及び検査結果管理部２６の機能を用い、検査データを検査結果データベース３５に登録するステップ８０６と、前記ステップ８０１乃至８０６の各処理をレコード回数だけ繰り返し、電文ファイル１１内のレコード数だけの繰り返し回数が終了したときに処理を終了するステップ８０７とを実行する。
【００２２】
この様に本実施形態による受診データ管理システムは、まず、検査結果判定エンジン部２１が、電文ファイル１１に含まれる図２に示した全レコードのデータを読み込み、該データ項目を基にコース項目対応管理部２３がコース対応項目情報データベース３２を参照して検査コースを決定し、該検査コースを基にコース検査日登録管理部２４がコース検査管理データベース３３を参照して予約及び検査結果の登録方法を決定し、前記検査コース／登録方法に基づいて予約管理部２５が予約情報データベース３４に予約情報及び検査結果を登録するように動作することにより、事前の検査データを登録しておかなくても過去の検査データや複数日にまたがる一連の検査データを医師に提供することができる。
【００２３】
次いで前述した図８の各ステップの詳細動作について説明する。
まず、前記図８のステップ８０３による受診者の年齢情報／団体情報を取得する処理の詳細は、図９に示す如く、検査結果判定エンジン部２１が、電文ファイル１１に含まれる受診者の登録番号をキーとして受診者情報データベース３１を検索するステップ９０１と、該ステップ９０１にて検索した登録番号の受診者が登録されているか否かを判定するステップ９０２と、該ステップ９０２において登録されていると判定したとき、該受診者の登録番号と共に生年月日（年齢情報）及び所属団体名を検査結果判定エンジン部２１に返信するステップ９０４と、前記ステップ９０２において該当する受診者が登録されていないと判定したとき、その受診者を仮受診者として登録処理を行って前記ステップ９０４に移行するステップ９０３とを実行することによって行われる。
【００２４】
更に前記図８のステップ８０４による検査コースの決定処理は、図１０に示す如く、検査結果判定エンジン部２１から取得した生年月日（年齢情報）及び団体名をキーとしてコース対応項目情報データベース３２をアクセスし、対象となる検査コースを検索するステップ１０１と、該ステップ１０１による検索の結果、合致するコースが１つのみか否かを判定するステップ１０２と、該ステップ１０２の判定により、合致するコースが１つのみと判定したとき、判定した検査コース情報を検査結果判定エンジン部２１に返信するステップ１０８と、前記ステップ１０２において合致する検査コースで１つでないと判定したとき、電文ファイル１１に含まれる複数の検査項目を基にコース対応項目情報データベース３２を検索するステップ１０３と、該ステップ１０３による検索した検査項目を基に複数の検査コースに対する適合ポイント及び適合率を算出するステップ１０４と、該ステップ１０４による適合率が最も高い検査コースを取得するステップ１０５と、該ステップ１０５における判定において同一の適合率の複数の検査コースを取得したか否かを判定し、複数でないと判定したとき、前記ステップ１０８に移行するステップ１０６と、該ステップ１０６において複数の検査コースを取得したと判定したとき、コース項目対応データベース３２の優先順位を参照し、最も優先順位の高い検査コースを取得し、前記ステップ１０８に移行するステップ１０７とを実行する。
この図１０に示した一連の処理によって検査結果判定エンジン部２１は、受診者の検査項目を基に検査コースを決定することができる。
【００２５】
本処理における適合ポイント及び適合率を算出するステップ１０４の詳細は、まず図１３Ａに示す如く、コース対応項目情報データベース３２から該当するレコード内の検査項目の実施情報を取得するステップ１４２と、該ステップ１４２により取得した実施情報が実施すると設定されているか否かを判定するステップ１４３と、該ステップ１４３において実施すると設定されていと判定したとき、電文ファイル１１から該当する検査項目の検査結果情報の取得を開始するステップ１４４と、該ステップ１４４において電文ファイル１１（検査データ）に検査結果情報が有るか否か（即ち、検査を行ったか否か）を判定するステップ１４５と、該ステップ１４５において電文ファイル１１に検査結果情報が有ると判定したとき、適合ポイントを１カウントアップするステップ１４６と、前記ステップ１４２乃至１４６間の処理を登録されている検査項目の数だけ繰り返すステップ１４１及び１４７と、該ステップ１４７に続き、前記適合ポイントを検査項目数で割ることにより適合率を算出するステップ１４８と、前記ステップ１４１及び１４８間をコース対応項目情報データベース３２から取得した対象レコード数だけループするステップ１４０及び１４９と、該ステップ１４９に続いて適合率が最大となる検査コースを決定するステップ１４９１とを実行する。前述した適合率が最大となる検査コースを決定するステップは、複数の検査項目が設定された複数の検査コースを抽出し、前記コース毎に設定された検査項目が実施されている率が高いものを検査コースとして設定するものであって、具体的には、例えば図４に示した検査データにドックＢのコースには１３項目が設定され、検査結果数が１３であれば適合率が「１」となり、ドックＡのコースでは１４項目が設定され、検査結果数が１３のために適合合率が「１未満」になり、これによってドックＢのコースを決定するものである。
【００２６】
前記図１３Ａのステップ１４３において取得した情報が実施しないと設定されていると判定したとき、検査結果判定エンジン部２１は、図１３Ｂに示す如く、電文ファイル１１から該当する検査項目の情報（検査結果の有無）の取得を開始するステップ１５０と、該ステップ１５０の開始により電文ファイルに検査結果情報（検査結果有）があるか否かを判定するステップ１５１、該ステップ１５１によりあると判定したとき、適合しないと判定して適合ポイントの算出を中止するステップ１５２と、前記ステップ１５１によりないと判定したとき、適合ポイントを１カウントアップするステップ１５３とを実行し、図１３Ａのステップ１４７に移行するように動作する。
【００２７】
本実施形態による受診データ管理システムは、前述した各ステップを実行することによって、検査を行った検査結果情報を含む検査項目の数によって適合ポイントを増加させ、この適合ポイントを検査項目数により除算することによって適合率を算出し、該適合率が最も高い検査コースを決定することができる。
【００２８】
本受診データ管理システムは、図８のステップ８０６に示した取得した検査データ及び個人属性情報(年齢情報／団体等)情報、決定した検査コース登録方法により、予約管理部２５の機能及び検査結果管理部２６の機能を用い、検査データを検査結果データベース３５に登録することによって、事前の検査データを登録しておかなくても過去の検査データや複数日にまたがる一連の検査データを医師に提供することができる。
【００２９】
更に本実施形態による受診データ管理システムは、本検査システムから検体結果が複数回に分かれて報告されるケースに対応しているため、検査システムからの報告電文内に格納されている検査日について、検体に応じて検査日前後の受診が既に登録されていないかを検索し、複数日にまたがる一連の検査結果として登録することができる。これにより複数日にまたがる疾患検査などについて、一連の検査結果を一まとめにして医師の操作によって参照及び表示することができる。
【図面の簡単な説明】
【００３０】
【図１】本発明の一実施形態による受診データ管理システムを示す図。
【図２】本実施形態による電文ファイルを説明するための図。
【図３】本実施形態による受診者情報データベースの構成を示す図。
【図４】本実施形態によるコース項目対応情報データベースの構成を示す図。
【図５】本実施形態によるコース検査管理データベースの構成を示す図。
【図６】本実施形態による予約情報データベースの構成を示す図。
【図７】本実施形態による検査結果データベースの構成を示す図。
【図８】本実施形態による検索結果判定エンジン部の動作フロー図。
【図９】本実施形態による受診者情報管理部の動作フロー図。
【図１０】本実施形態によるコース項目対応管理部の動作フロー図。
【図１１】本実施形態によるコース検査日登録管理部の動作フロー図。
【図１２Ａ】本実施形態による予約管理部の動作フロー図。
【図１２Ｂ】本実施形態による予約管理部の動作フロー図。
【図１３Ａ】本実施形態による適合率算出処理の動作フロー図。
【図１３Ｂ】本実施形態による適合率算出処理の動作フロー図。
【符号の説明】
【００３１】
１：臨床検査システム、２：医療用受診データ登録システム、３：データベースサーバ、１０：端末、１１：電文ファイル、２１：検査結果判定エンジン部、２２：受診者情報管理部、２３：コース項目対応管理部、２４：コース検査日登録管理部、２５：予約管理部、２６：検査結果管理部、３１：受診者情報データベース、３２：コース対応項目情報データベース、３３：コース検査管理データベース、３４：予約情報データベース、３５：検査結果データベース。
【図１】
2009064328.tif 000003
【図２】
2009064328.tif 000004
【図３】
2009064328.tif 000005
【図４】
2009064328.tif 000006
【図５】
2009064328.tif 000007
【図６】
2009064328.tif 000008
【図７】
2009064328.tif 000009
【図８】
2009064328.tif 000010
【図９】
2009064328.tif 000011
【図１０】
2009064328.tif 000012
【図１１】
2009064328.tif 000013
【図１２Ａ】
2009064328.tif 000014
【図１２Ｂ】
2009064328.tif 000015
【図１３Ａ】
2009064328.tif 000016
【図１３Ｂ】
2009064328.tif 000017